(57)【特許請求の範囲】
【請求項１】
超音波振動子を内蔵し、該超音波振動子のホーンの先端が端部に突出したハンドピースと、該ハンドピースの側部に摺動部材を装着し、該摺動部材から突出するアンビルの接触部が前記超音波振動子のホーンと対向するように装着されたアンビル部と、該アンビル部の前記アンビルに嵌合するコ字型の押えと、該コ字型の押えを貫通して前記アンビルに固着され、前記アンビルより突出するネジと、該ネジの頭部と前記押えの間に介在させたバネとからなり、被溶着物を溶着する時に、前記バネによって前記押えを押圧して被溶着物を押圧し、前記アンビルが被溶着物を溶着するために前記超音波振動子に近づく時、前記押えが前記アンビルの側部の被溶着物を押えることを特徴とする超音波溶着器。
【請求項２】
前記ネジは２本以上前記アンビルに固着することを特徴とする請求項１記載の超音波溶着器。
【発明の詳細な説明】
【技術分野】
【０００１】
本発明は、アンビルに装着した押えにより、溶着時にアンビルの側部の被溶着物を押えるようにした超音波溶着器に関するものである。
【背景技術】
【０００２】
従来、図５及び図６に示すように、ハンドピース１の一端に超音波振動子２のホーン２ａの端部が突出され、ハンドピース１の側部にアンビル部３の摺動部材３ａが摺動可能に装着され、摺動部材３ａからアンビル３ｂがほぼ垂直に形成され、アンビル３ｂの端部は超音波振動子２のホーン２ａの端部と接触するように構成され、ハンドピース１の両側面に装着された回動軸４で回動部材５の三角部材５ａの頂点部分が支持され、又、回動部材５は三角部材５ａからハンドピース１の下方に斜めにレバー５ｂが形成され、さらに、回動部材５の三角部材５ａの底部近傍に駆動軸６が固着され、又、アンビル部３の摺動部材３ａを貫通して支持軸７が摺動部材３ａに固着され、駆動軸６と支持軸７の間にＵ字状のバネ８が装着され、又、ハンドピース１の側部に発振スイッチ９が装着され、レバー３ｂに装着した突出部５ｃで発振スイッチ９を押すようにした超音波溶着器が提案されている。
【０００３】
しかしながら、輸血及び採血又は薬品等のチューブ溶着の場合、この超音波溶着器では、被溶着物１０の内部の血液や薬品がアンビルと超音波振動子との溶着部で被溶着物を溶着する時、溶着部で発生する熱や振動により、血液や薬品が凝固したり、溶解したり、破壊されたりするという問題がある。
【特許文献１】特願２００４−２２５２２２６
【発明の開示】
【発明が解決しようとする課題】
【０００４】
解決しようとする問題点は、従来の超音波溶着器では、被溶着物の内部に血液や薬品が入れられている場合には、溶着部で発生する熱や振動により、血液や薬品が凝固したり、溶解したり、破壊されたりするという問題がある。
【課題を解決するための手段】
【０００５】
本発明では、ハンドピースは超音波振動子を内蔵し、超音波振動子のホーンの先端が端部に突出され、アンビル部はハンドピースの側部に摺動部材を装着し、摺動部材から突出するアンビルの接触部が超音波振動子のホーンと対向するように装着され、コ字型の押えはアンビル部のアンビルに嵌合され、アンビルより突出するネジはコ字型の押えを貫通してアンビルに固着され、バネはネジの頭部と押えの間に介在されてなり、被溶着物を溶着する時に、バネによって押えを押圧して被溶着物を押圧し、アンビルが被溶着物を溶着するために超音波振動子に近づく時、押えがアンビルの側部の被溶着物を押えつけるものである。
【発明の効果】
【０００６】
本発明の超音波溶着器は、被溶着物に血液や薬品が入れられている場合に、溶着時に、被溶着物を溶着するためにアンビルが超音波振動子に近づく時、バネによって押えを押圧して被溶着物を押圧し、被溶着物内に入れられている血液や薬品をアンビルの側部から押しやることにより、溶着部で発生する熱や振動により、アンビルと超音波振動子の側部の血液や薬品が凝固したり、溶解したり、破壊されたりすることがないという利点がある。
【実施例】
【０００７】
図１は本発明の実施例の超音波溶着器のアンビルとホーン部分の斜視図で、アンビル３ｂにコ字型の押え１１が嵌合され、コ字型の押え１１を貫通してネジ１２の先端がアンビル３ｂに固着され、ネジ１２の頭部１２ａはコ字型の押え１１を貫通して突出し、ネジ１２の頭部１２ａと押え１１の間にバネ１３を介在させることにより、コ字型の押え１１はバネ１３によって常にアンビル３ｂと接触され、コ字型の押え１１の下端１１ａはアンビル３ｂの下端３ｃと平行になるように構成されている。
【０００８】
このように構成された本実施例の超音波溶着器では、図５及び図６に示すように、ハンドピース１の側面に回動可能に装着された回動部材５のレバー５ｂをハンドピース１の方向に押し付けると、回動部材５の三角部材５ａに固着された駆動軸６でＵ字状のバネ８がバネの力に抗して押され、バネ８が戻る力によって、アンビル部３の摺動部材３ａに固着された支持軸７が押されるので、支持軸７はバネ８の戻る力によって移動され、アンビル部３の摺動部材３ａと一体となったアンビル３ｂの端部が超音波振動子２のホーン２ａの方向に移動するが、図２に示すように、アンビル３ｂと超音波振動子２のホーン２ａ及び支持部材１５は血液や薬品１４が封入された被溶着物１０を挟んで対向して配置され、次に、図３に示すように、被溶着物１０がアンビル３ａ及び押え１１によって押圧されると、押えられた部分の被溶着物１０内の血液や薬品１４が移動して、押圧部分の血液や薬品１４が押し退けられ、さらに、アンビル３ａが超音波振動子２のホーン２ａの方へ移動すると、図４に示すように、バネ１３によって押え１１と支持部材１５は血液や薬品が押し退けた状態で保持され、アンビル３ａと超音波振動子２のホーン２ａで被溶着物１０を溶着する時に、アンビル３ａとホーン２ａの間に発生する振動や熱は押え１１で押圧している被溶着物１０を伝わって血液や薬品１４に伝達されないので、血液や薬品１４が凝固したり、溶解したり、破壊されたりすることがないという利点がある。
【産業上の利用可能性】
【０００９】
なお、上記実施例では、アンビル３ａにネジ１２を２本用いた例を示したが、ネジ１２は１本でもよいし、３本以上でもよい。
【図面の簡単な説明】
【００１０】
【図１】本発明の実施例の超音波溶着器のアンビルとホーン部分の斜視図である。
【図２】図１のアンビルとホーンの動作を説明するための図である。
【図３】図１のアンビルとホーンの動作を説明するための図である。
【図４】図１のアンビルとホーンの動作を説明するための図である。
【図５】従来の超音波溶着器の側面図である。
【図６】図５の超音波溶着器の透視図である。
【符号の説明】
【００１１】
２                超音波振動子
２ａ              ホーン
３                アンビル部
３ａ              アンビル
１０              被溶着物
１１              押え
１２              ネジ
１３              バネ
１４              血液又は薬品
【図１】
0004783939.tif 000002
【図２】
0004783939.tif 000003
【図３】
0004783939.tif 000004
【図４】
0004783939.tif 000005
【図５】
0004783939.tif 000006
【図６】
0004783939.tif 000007